(57)【要約】【課題】硬質管部の外周に遊嵌されたカラーが、硬質管部から外れて紛失するおそれを簡便に防止できるホース接続装置を提供する。【解決手段】蛇口本体12に一体形成した硬質管部15の先端部外周に、外方へ環状に膨出形成した外周凸部16を設ける。硬質管部15の外周にカラー17を遊嵌する。このカラー17には、硬質管部15の外周凸部16に嵌合したホースの端部を挟着するように内周面にホース取外方向に拡開する内周テーパ面19を形成する。この内周テーパ面19の小径側に位置する内周ストレート面20に周溝21を設け、この周溝21に係止リング22を嵌着する。この係止リング22は、硬質管部15の外周に遊嵌するとともに硬質管部15の外周凸部16に係止させる。【選択図】図１
0003153444.tif 000002
【実用新案登録請求の範囲】
【請求項１】
硬質管部と、
この硬質管部の先端部外周に外方へ環状に膨出形成された外周凸部と、
この硬質管部の外周凸部に嵌合されたホースの端部を挟着するように内周面にホース取外方向に拡開する内周テーパ面が形成されるとともに、硬質管部の外周に遊嵌されたカラーと、
このカラーの内周テーパ面の小径側に位置する内周面に嵌着されて、硬質管部の外周に遊嵌されるとともに硬質管部の外周凸部に係止される係止リングと
を具備したことを特徴とするホース接続装置。
【請求項２】
硬質管部は、金属製の蛇口本体と一体に形成された
ことを特徴とする請求項１記載のホース接続装置。
【請求項３】
係止リングは、内側からの押圧力により拡径可能な材料により形成され、
硬質管部の外周凸部の外径は、
係止リングの内径より大きく、かつ、カラーの最小内径より小さく形成された
ことを特徴とする請求項１または２記載のホース接続装置。
【考案の詳細な説明】
【技術分野】
【０００１】
本考案は、硬質管部にホースを接続するホース接続装置に関する。
【背景技術】
【０００２】
硬質管部にホースを接続するホース接続装置としては、硬質管部の端部外周に外方へ拡開した外周傾斜面を形成し、この硬質管部の外周傾斜面にホースの端部を嵌合し、このホースの端部にカラーをその内周面に形成した内周傾斜面を介して嵌合し、ホースの端部を硬質管部の外周傾斜面とカラーの内周傾斜面とで挟着してホースの引張力によりカラーの内周傾斜面をホース側に締付けるようにしたホース接続装置が知られている（例えば、特許文献１、２参照）。
【０００３】
このようなホース接続装置を水道の蛇口に取付けて用いるホース取付具またはホース接続具もある（例えば、特許文献３、４参照）。
【０００４】
図４は上記のようなホース接続装置を水道の蛇口に適用した従来例であり、図４（ａ）に示されるように、金属製の蛇口本体１と一体に硬質管部２が形成され、この硬質管部２の端部外周に外方へ環状に膨出した外周凸部３が形成され、この外周凸部３に、図４（ｂ）に示されるようにホース４の端部５が嵌合され、このホース４の端部５に、硬質管部２の外周に遊嵌された金属製のカラー６が、その内周面に形成された内周テーパ面７を介して嵌合され、ホース４の端部５が、硬質管部２の外周凸部３とカラー６の内周テーパ面７とで挟着されている。したがって、ホース４に引張力が働くと、カラー６の内周テーパ面７からホース４の端部５に内向きの押付力が作用し、ホース４を締付けることができる。
【０００５】
図４（ｂ）に示されるように、蛇口本体１と一体の硬質管部２の上部には、雄ネジ部８が加工形成され、カラー６には、この雄ネジ部８と螺合する雌ネジ部９が加工形成され、図４（ａ）に示されるように、硬質管部２にホース４を接続しないときは、雄ネジ部８に雌ネジ部９を螺着することで、カラー６が硬質管部２から脱落することを防止し、カラー６の紛失のおそれを防止している。
【先行技術文献】
【特許文献】
【０００６】
【特許文献１】実公昭４５−１４６１８号公報
【特許文献２】実開昭５４−８５４１６号公報
【特許文献３】実開昭４８−３５１６７号公報
【特許文献４】実開昭４８−１００４２１号公報
【考案の概要】
【考案が解決しようとする課題】
【０００７】
このように、金属製の蛇口本体１と一体の硬質管部２の上部に雄ネジ部８を加工形成するとともに、金属製のカラー６に雌ネジ部９を加工形成して、硬質管部２の雄ネジ部８にカラー６の雌ネジ部９を螺着することで、硬質管部２の外周に遊嵌されたカラー６が、硬質管部２から外れて紛失するおそれを防止しているが、上記のような雄ネジ部８および雌ネジ部９の加工形成は、手間がかかり容易でなく、コストアップの要因となっている。
【０００８】
本考案は、このような点に鑑みなされたもので、硬質管部の外周に遊嵌されたカラーが、硬質管部から外れて紛失するおそれを簡便に防止できるホース接続装置を提供することを目的とするものである。
【課題を解決するための手段】
【０００９】
請求項１に記載された考案は、硬質管部と、この硬質管部の先端部外周に外方へ環状に膨出形成された外周凸部と、この硬質管部の外周凸部に嵌合されたホースの端部を挟着するように内周面にホース取外方向に拡開する内周テーパ面が形成されるとともに、硬質管部の外周に遊嵌されたカラーと、このカラーの内周テーパ面の小径側に位置する内周面に嵌着されて、硬質管部の外周に遊嵌されるとともに硬質管部の外周凸部に係止される係止リングとを具備したホース接続装置である。
【００１０】
請求項２に記載された考案は、請求項１記載のホース接続装置における硬質管部が、金属製の蛇口本体と一体に形成されたものである。
【００１１】
請求項３に記載された考案は、請求項１または２記載のホース接続装置における係止リングが、内側からの押圧力により拡径可能な材料により形成され、硬質管部の外周凸部の外径は、係止リングの内径より大きく、かつ、カラーの最小内径より小さく形成されたものである。
【考案の効果】
【００１２】
請求項１記載の考案によれば、硬質管部の外周凸部に嵌合されたホースの端部を挟着するように内周面にホース取外方向に拡開する内周テーパ面が形成されたカラーを、硬質管部の外周に遊嵌し、このカラーの内周テーパ面の小径側に位置する内周面に、硬質管部の外周に遊嵌されるとともに硬質管部の外周凸部に係止される係止リングを嵌着したので、ホースが嵌着されている場合は、このホースに引張力が働くと、カラーの内周テーパ面がホースの外周面を挟着する方向に作用して、ホースを締付けることができるとともに、ホースが嵌着されていない場合は、カラーの係止リングが硬質管部の外周凸部と係合するので、硬質管部の外周に遊嵌されたカラーが硬質管部から外れて紛失するおそれを簡便に防止できる。
【００１３】
請求項２記載の考案によれば、金属製の蛇口本体と一体に硬質管部を形成したので、蛇口にもホース挟着用のカラーを直接装着できるとともに、そのカラーの紛失を簡便に防止できる。
【００１４】
請求項３記載の考案によれば、硬質管部の外周凸部の外径が、係止リングの内径より大きく形成されたので、係止リングが硬質管部の外周凸部から外れるおそれを確実に防止できるとともに、硬質管部の外周凸部の外径が、カラーの最小内径より小さく形成されたので、内側からの押圧力により拡径可能な係止リングの内径を拡径させながら、硬質管部の外周凸部からカラーを外したり硬質管部にカラーを嵌着する作業を容易にできる。
【図面の簡単な説明】
【００１５】
【図１】本考案に係るホース接続装置の一実施の形態を示す断面図である。
【図２】同上接続装置の要部を拡大した断面図である。
【図３】同上接続装置の作用を示す断面図であり、（ａ）はカラー持ち上げ状態、（ｂ）はホース嵌合状態、（ｃ）はホース挟着状態を示す。
【図４】（ａ）は従来のホース接続装置を示す断面図、（ｂ）はそのホース挟着状態を示す断面図である。
【考案を実施するための形態】
【００１６】
以下、本考案を、図１乃至図３に示された一実施の形態に基いて詳細に説明する。
【００１７】
図１は、蛇口11を示し、この蛇口11は、金属製の蛇口本体12の基端側に水道配管などに接続される螺合部13が形成され、上部に蛇口本体12内の弁体を開閉操作するハンドル14が設けられ、蛇口本体12の先端側に硬質管部15が一体に形成されている。
【００１８】
この硬質管部15の先端部外周には、外方へ環状に膨出形成された外周凸部16が設けられている。この外周凸部16は、円弧状面部16aと先細状テーパ面部16bとで形成されている。
【００１９】
この硬質管部15の外周にカラー17が遊嵌されている。このカラー17には、図３（ｃ）に示されるように硬質管部15の外周凸部16に嵌合されたホース18の端部を挟着するように内周面にホース取外方向に拡開する内周テーパ面19が形成されている。カラー17の上部すなわち小径側には、内周ストレート面20が形成されている。
【００２０】
このカラー17の内周テーパ面19の小径側に位置する内周ストレート面20には周溝21が設けられ、この周溝21に環状の係止リング22が嵌着されている。この係止リング22は、硬質管部15の外周に遊嵌されるとともに硬質管部15の外周凸部16に係止されるものであり、合成樹脂製またはゴム製のパッキングまたはＯリングなどの円環状体、あるいは周溝21に遊嵌された金属製の穴用スナップリング（ストップリング）などの、内側からの押圧力により拡径可能な材料により形成されている。
【００２１】
図２に示されるように、硬質管部15の外周凸部16の外径Ｄは、拡径可能な係止リング22の内径Ｄ1より大きく、かつ、カラー17の最小内径Ｄ2より小さく形成されている。
【００２２】
そして、係止リング22が合成樹脂製またはゴム製の円環状体の場合は、その可塑性または弾力性を利用して、硬質管部15の下方からカラー17を硬質管部15の外周凸部16に押し込むと、係止リング22の内周面が外周凸部16の先細状テーパ面部16bに沿って拡径変形しつつ、カラー17は硬質管部15の外周に遊嵌される。この遊嵌状態では、係止リング22の内径Ｄ1は、自身の材料復元力により外周凸部16の外径Ｄより小さく縮径しているので、外周凸部16の円弧状面部16aに係止される。
【００２３】
次に、図３を参照して、図１に示された実施の形態の作用効果を説明する。
【００２４】
図３（ａ）に示されるように、カラー17を硬質管部15に沿って持ち上げつつ、図３（ｂ）に示されるように、硬質管部15の外周凸部16にホース18の端部を嵌め込み、図３（ｃ）に示されるように、カラー17を落とすと、カラー17の内周テーパ面19が、硬質管部15の外周凸部16によって環状に膨出したホース18の外周面に密着する。
【００２５】
この図３（ｃ）に示された状態でホース18を下方へ引っ張る力が作用すると、ホース18に密着されたカラー17の内周テーパ面19も下方へ移動しようとし、この内周テーパ面19と硬質管部15の外周凸部16との間が益々狭まり、その間にホース18が挟着される。この挟着力は、ホース18を下方へ引っ張る引張力が増すほど大きくなり、ホース18が外れることはない。
【００２６】
ホース18を外すときは、図３（ｂ）に示されるようにカラー17を上げることで、カラー17による挟着力を解除すれば、ホース18を硬質管部15の外周凸部16から引き抜くことができる。
【００２７】
このように、硬質管部15の外周凸部16に嵌合されたホース18の端部を挟着するように内周面にホース取外方向に拡開する内周テーパ面19が形成されたカラー17を、硬質管部15の外周に遊嵌し、このカラー17の内周テーパ面19の小径側に位置する内周面に、硬質管部15の外周に遊嵌されるとともに硬質管部15の外周凸部16に係止される係止リング22を嵌着したので、ホース18が嵌着されている場合は、このホース18に引張力が働くと、カラー17の内周テーパ面19がホース18の外周面を挟着する方向に作用して、ホース18を締付けることができるとともに、ホース18が嵌着されていない場合は、カラー17の係止リング22が硬質管部15の外周凸部16と係合するので、硬質管部15の外周に遊嵌されたカラー17が硬質管部15から外れて紛失するおそれを簡便に防止できる。
【００２８】
金属製の蛇口本体12と一体に硬質管部15を形成したので、蛇口11にもホース挟着用のカラー17を直接装着できるとともに、そのカラー17の紛失を簡便に防止できる。
【００２９】
硬質管部15の外周凸部16の外径Ｄが、係止リング22の内径Ｄ1より大きく形成されたので、係止リング22が硬質管部15の外周凸部16から外れるおそれを確実に防止できるとともに、硬質管部15の外周凸部16の外径Ｄが、カラー17の最小内径Ｄ2より小さく形成されたので、内側からの押圧力により拡径可能な係止リング22の内径Ｄ1を拡径させながら、硬質管部15の外周凸部16からカラー17を外したり硬質管部15にカラー17を嵌着する作業を容易にできる。
【００３０】
特に、硬質管部15の外周凸部16からカラー17を外したり硬質管部15にカラー17を嵌着するときに、硬質管部15に遊嵌の範囲内でカラー17を斜めにすると、外周凸部16に対する係止リング22の脱着が容易になり、カラー17の脱着作業をきわめて容易にできる。
【産業上の利用可能性】
【００３１】
本考案は、蛇口11だけでなく、蛇口11以外の硬質管部15にホース18を接続するホース接続装置としても利用できる。
【符号の説明】
【００３２】
12    蛇口本体
15    硬質管部
16    外周凸部
17    カラー
18    ホース
19    内周テーパ面
22    係止リング
Ｄ    外周凸部の外径
Ｄ1   係止リングの内径
Ｄ2   カラーの最小内径
【図１】
0003153444.tif 000003
【図２】
0003153444.tif 000004
【図３】
0003153444.tif 000005
【図４】
0003153444.tif 000006